(57)【特許請求の範囲】
【請求項１】
情報端末機器に設けられる複数の端子のうち、前記情報端末機器の内部の動作を切り替えるための前記端子で接続相手機器の判別に用いられる識別端子をアンテナ入力端子と兼用する、
入出力コネクタ。
【請求項２】
前記識別端子は、入力される情報信号の電位により、その情報の内容が判別される情報端子である、
請求項１に記載の入出力コネクタ。
【請求項３】
前記識別端子は、接続相手機器の判別以外に、動作切替時の情報選択に用いられる情報端子である、
請求項１に記載の入出力コネクタ。
【請求項４】
前記アンテナ入力端子に入力されるアンテナ信号は、ＦＭ帯、ＶＨＦ帯、またはＵＨＦ帯、ギガ帯のいずれかまたは複数の帯域の放送波信号およびＧＰＳや携帯電話で使用する信号で使用される
請求項１に記載の入出力コネクタ。
【請求項５】
前記識別端子が接続されるラインには、前記複数の帯域の周波数を通過させるコンデンサが接続されている、
請求項４に記載の入出力コネクタ。    
【請求項６】
前記識別端子が接続されるラインには、前記コンデンサと並列に、前記帯域の周波数に対してハイインピーダンスとなる高域周波数遮断素子が接続されている、
請求項５に記載の入出力コネクタ。
【請求項７】
前記入出力コネクタには、差動信号を伝送するラインが接続される端子が設けられており、該差動信号が入力される端子には、前記複数の帯域の周波数に対してハイインピーダンスとなるコモンモードチョーク素子が接続されている、
請求項４に記載の入出力コネクタ。    
【請求項８】
前記入出力コネクタのグランドラインは、前記情報端末機器のシールドケースに接続される、
請求項１に記載の入出力コネクタ。
【請求項９】
前記入出力コネクタには、放送波信号および通信信号を通過させる同軸ケーブルを接続するための第１の接続部が設けられる、
請求項１に記載の入出力コネクタ。
【請求項１０】
前記同軸ケーブルの他端には、前記放送波信号を受信するアンテナ、もしくは同軸コネクタが接続される、
請求項９に記載の入出力コネクタ。
【請求項１１】
前記入出力コネクタには、更に入出力ケーブルを接続するための第２の接続部が設けられる、
請求項９に記載の入出力コネクタ。
【請求項１２】
前記第１の接続部と前記第２の接続部は、前記入出力コネクタが固定される基板において分離されている、
請求項１１に記載の入出力コネクタ。  
【請求項１３】
前記第１の接続部と前記第２の接続部は、前記入出力コネクタの複数の端子を共有するようにして接続される、
請求項１１に記載の入出力コネクタ。
【請求項１４】
前記ＧＰＳや携帯電話で使用する周波数帯は、ギガヘルツ帯であり、前記ギガヘルツ帯の信号を通過させるために、前記入出力コネクタの基板は、互いに平行に配置された２つの基板のグランド端子を接続するとともに、平行に配置される上基板と下基板に設けられた入出力コネクタの各ピンが接続される端子を上面から見て重なる部分をなくすように配置した、
請求項４に記載の入出力コネクタ。
【請求項１５】
前記情報端末機器は、携帯情報端末機器である、
請求項１〜１４のいずれかに記載の入出力コネクタ。
【発明の詳細な説明】
【技術分野】
【０００１】
本開示は、情報端末機器の入出力用に用いられる入出力端子の機能を拡張させた入出力コネクタに関する。        
【背景技術】
【０００２】
一般に、携帯電話機等の情報端末機器により、テレビジョン放送等を受信するためには、情報端末機器内に専用の受信アンテナを設けるか、オーディオ信号を聞くためのイヤホン端子からアンテナ入力を取り込むかのいずれかの方法が用いられている。
【０００３】
また、テレビジョン受像機の小型化に伴ってその移動が簡単にできるようになったこともあり、家庭内の台所など、テレビジョン放送用のアンテナコンセントがない部屋でテレビジョン放送を受信したいという要求もある。このような場合、電力伝送用のケーブルをテレビジョン放送用のアンテナとして利用することも提案されている（例えば、特許文献１参照）。
【０００４】
この特許文献１に記載の技術では、電力伝送用ケーブルの電源回路側に設けた高周波遮断用のインダクタと、携帯端末側に設けた高周波遮断用のインダクタとの距離を、受信するテレビジョン放送等の搬送周波数の１／４波長の整数倍に設定している。これにより、広い周波数帯域のテレビジョン放送等の受信が可能になる。
【０００５】
また、アンテナとして使用するケーブルに、周波数が重複する別の信号を伝送させる際に、コネクタを共有化しても十分なアンテナ特性を得られる受信装置が、本発明者等により提案されている（特許文献２参照）。
【先行技術文献】
【特許文献】
【０００６】
【特許文献１】特開２０１０−１５７９９１号公報
【特許文献２】特開２０１０−２１９９０４号公報
【発明の概要】
【発明が解決しようとする課題】
【０００７】
しかしながら、従来のイヤホンアンテナや電力伝送用ケーブルを利用するアンテナでは、そのための専用のコードやケーブルが必要であり、例えばその他の信号伝送と兼用することは難しいという問題があった。また、情報端末機器内に専用のアンテナを設けるのは、情報端末機器の薄型化と小型化に対しては障害となっていた。
【０００８】
本開示は、上記の問題に鑑みてなされたものであり、その目的は、情報処理端末機器の入出力端子に接続されるケーブルを介して、ＦＭラジオやテレビジョンなどの電波を受信できる入出力コネクタを提供することにある。
【課題を解決するための手段】
【０００９】
上記課題を解決するため、本開示の入出力コネクタは、情報端末機器に設けられる複数の端子のうち、情報端末機器の内部の動作を切り替えるための端子で接続相手機器の判別に用いられる識別端子をアンテナ入力端子と兼用するものである。
また、好ましくは、識別端子は、入力される情報信号の電位により、その情報の内容が判別される情報端子である。
【００１０】
そして、アンテナ入力端子に入力されるアンテナ信号は、ＦＭ帯、ＶＨＦ帯、またはＵＨＦ帯のいずれかまたは複数の帯域の放送波信号であり、少なくとも１の情報端子が接続されるライン（例えば、ＩＤライン）には、これらの複数の帯域の周波数を通過させるコンデンサが接続されている。また、少なくとも１の情報端子が接続されるラインには、コンデンサと並列に前記帯域の周波数に対してハイインピーダンスとなる高域周波数遮断素子が接続されている。
【００１１】
更に、本開示の入出力コネクタでは、ＵＳＢコネクタの基板上の各ピンを接続する端子の配置を工夫することにより、テレビジョン信号のＵＨＦ帯を超えるギガヘルツ帯までの良好な通過特性が得ることができた。
【発明の効果】
【００１２】
本開示の入出力コネクタによれば、情報端末機器側にアンテナ用の新たなコネクタのスペースを用意する必要がないので、情報端末機器の更なる小型化、薄型化を実現することが可能となる。また、ＭＨｚ帯からＧＨｚ帯までの幅広い帯域の信号を通過させることができるという作用効果が確認された。
【図面の簡単な説明】
【００１３】
【図１】本開示の入出力装置の実施の形態例の概要を示す図である。
【図２】一方の側にＵＳＢコネクタが接続され、他方の側にＳＭＡコネクタが接続されたＵＳＢ−ＳＭＡ変換ケーブルの例を示した図である。
【図３】図２で示したＵＳＢ−ＳＭＡ変換ケーブルのサンプル（５個）の周波数特性が略同じ結果になったことを示す図である。
【図４】図２で示したＵＳＢ−ＳＭＡ変換ケーブルを用いてＵＳＢ2.0の差動信号の伝送試験を行ったアイパターンを示す図である。
【図５】本開示の入出力装置に外部アンテナユニットに接続するための同軸ケーブルとＵＳＢケーブルの両方を接続した他の実施の形態例を示す概念図である。
【図６】図５の同軸ケーブルとＵＳＢケーブルの両方をＵＳＢ入出力装置に接続する際の具体的な接続関係を示す図である。
【図７】ＵＳＢケーブルとイヤホンコードを接続して作製したイヤホンアンテナの例を示す図である。
【図８】図７のイヤホンアンテナの具体的な接続構成を示す図である。
【図９】図７のイヤホンアンテナの周波数−利得（ピークゲイン）特性を測定した図である。
【図１０】本開示の入出力装置においてギガヘルツ帯の通過特性を得るための基板構造を示す図である。
【図１１】図１０に示した基板構造にしたときの、ＵＳＢ−ＳＭＡ変換ケーブルのサンプル（１個）の周波数特性を示す図である。
【図１２】本開示の入出力装置において、ＵＳＢコネクタとＭＨＬコネクタを兼用した場合の信号端子の関係を示す図である。
【発明を実施するための形態】
【００１４】
最近の情報端末機器の更なる小型化、薄型化に伴い、情報端末機器側でテレビジョン放送の電波を受信するために必要とされるアンテナや、外部アンテナと接続する専用コネクタを設けるスペースの確保が難しくなっている。例えば、テレビジョン放送の電波を受信するためのアンテナとして、イヤホンアンテナが発明者等により既に数多く提案されている。しかし、このイヤホンアンテナに必要とされるイヤホン用の端子の径の大きさが、情報端末機器の薄型化を更に進める上で１つの障害にもなっている。
【００１５】
このため、最近の薄型の情報端末機器では、イヤホン端子を持たずに、ＵＳＢ（Universal Serial Bus）端子のみを設けているものが多い。このような情報端末機器では、ＵＳＢ端子を使って、ホストコンピュータから情報端末機器への充電を行うとともに、ホストコンピュータと情報端末機器との間でさまざまな信号伝送を行っている。
【００１６】
発明者等は上述の問題を解決するために、情報端末機器に必ず搭載されるＵＳＢ端子を使って、テレビジョン放送等を受信することができないかと考えた。そして、様々な思考と実験を試みてきた。その結果、イヤホン用の端子や外部アンテナ用の専用のコネクタを設けなくても、テレビジョン放送等の電波を受信できる入出力装置を案出したのである。
【００１７】
以下、図１〜図７を参照して、本明細書に開示する実施の形態例（以下、「本例」という。）を説明するが、説明は以下の順に行うこととする。なお、以下の説明ではＵＳＢ端子を用いた入出力装置について説明するが、本開示はＵＳＢ入出力装置に限定されるものではない。
１．ＵＳＢ−ＳＭＡ変換ケーブルの外部アンテナへの接続検証
２．ＵＳＢ−ＳＭＡ変換ケーブルの具体例
３．ＵＳＢ機能の維持についての検証
４．同軸ケーブルとＵＳＢケーブルの接続例  ５．イヤホンアンテナへの応用例
６．ギガヘルツ帯の通過特性を得るためのＵＳＢ入出力装置の基板構造
【００１８】
＜１．ＵＳＢ−ＳＭＡ変換ケーブルの外部アンテナへの接続検証＞
図１は、本例の入出力装置の一例を示す図である。図１に示すように、情報端末機器（以下、「セット」または「セット基板」ということもある。）側にＵＳＢケーブル接続用のメス型のＵＳＢコネクタが設けられる。このセット側に設けられるＵＳＢコネクタを、以下「セット側ＵＳＢ−Ｂコネクタ１０」という。
【００１９】
そして、適当な長さの同軸シールド線の一端にオス型のＵＳＢコネクタを取り付け、その他端にＳＭＡ（Sub Miniature Type A）コネクタを取り付けている。以後、このオス型のＵＳＢコネクタを、セット側ＵＳＢ−Ｂコネクタ１０と区別するために、「ケーブル側ＵＳＢ−Ｂコネクタ１５」という。なお、ＳＭＡコネクタは、通常測定用コネクタとして用いられるものである。セット側ＵＳＢ−Ｂコネクタ１０は、図１の太い点線で示す部分であり、ケーブル側ＵＳＢ−Ｂコネクタ１５は図１の細い点線で示す部分である。それぞれが、１ピン〜５ピンで接続されるとともに、基板上に固定されている。なお、この関係は後述する図６、図８でも同じである。
【００２０】
まず、図１を参照して、ＵＳＢコネクタの一般的な構造を説明し、その後、本例のＵＳＢ入出力装置の具体的構成について説明する。
一般に、セット側ＵＳＢ−Ｂコネクタ１０（メス型）とケーブル側ＵＳＢ−Ｂコネクタ１５（オス型）とも、１ピン〜５ピンで示される５個の接続ピンとシールド端子を有している。これらのセット側ＵＳＢ−Ｂコネクタ１０及びケーブル側ＵＳＢ−Ｂコネクタ１５としては、通常、μＵＳＢ−Ｂコネクタが用いられる。
Ｂコネクタは一般にセット側に用いられるコネクタであり、これに対して、図５で後述するように、ホストコンピュータ側に接続されるＵＳＢコネクタとしては、通常、ホストコンピュータ側から電源を供給できるＡタイプのＵＳＢコネクタが用いられる。
なお、最近ではセット側ＵＳＢコネクタとして、ＡタイプあるいはＡＢタイプ（ホスト側とセット側の両方に兼用されるコネクタ）のμＵＳＢコネクタを用いることも考えられているが、ここではセット側のＵＳＢコネクタをＢタイプ、ホスト側のＵＳＢコネクタをＡタイプとして取り扱うこととする。
【００２１】
図１に示すように、セット側ＵＳＢ−Ｂコネクタ１０の１ピンは、電圧供給用のＶｂｕｓ／ＭＩＣ端子であり、この１ピンを経由して不図示のホストコンピュータ側から情報端末機器（セット）への給電がなされるとともに、セットに接続されたイヤホンマイクなどに電圧が供給される。このセット側ＵＳＢ−Ｂコネクタ１０の１ピンが接続されるラインには、高周波遮断用のフェライトビーズ１１が直列に接続されている。以下、フェライトビーズを単に「ＦＢ」と略記することもある。
【００２２】
セット側ＵＳＢ−Ｂコネクタ１０の２ピンと３ピンは、差動信号の送受信に関係する信号ラインの端子であり、この端子に音声信号が入力される場合には、２ピン（Ｄ−端子）がＬチャンネルの端子、３ピン（Ｄ＋端子）がＲチャンネルの端子となる。この差動で用いられる２ピンと３ピンが接続されるラインには、コモンモードチョーク１２が接続されている。そして、このコモンモードチョーク１２によって高周波信号が遮断されて、音声信号のみが通過するようになっている。以下の説明では、この高周波信号を「ＲＦ信号」または「アンテナ信号」ということもある。
【００２３】
セット側ＵＳＢ−Ｂコネクタ１０の４ピンは、差し込まれたプラグの種類と、そのプラグが何に使われるのかという用途を識別するためのＩＤ端子（ＩＤはIdentificationの略、「識別端子」ともいう。）である。
図１に示すように、本例のセット側ＵＳＢ−Ｂコネクタ１０では、このＩＤ端子として使われる４ピンを、テレビジョン放送等を受信するためのアンテナ端子に用いている。このため、４ピンが接続されるラインに約１０００ｐＦのコンデンサ１４を直列接続し、このコンデンサ１４を介して４ピンに供給されたアンテナ信号をセット内の不図示のチューナー回路（図１のＡＮＴ）に供給する。
【００２４】
また、セット側ＵＳＢ−Ｂコネクタ１０の４ピンは、通常のＩＤ端子として利用されるピンである。通常のＩＤ端子としての機能を実現する上では、テレビジョン等の高周波信号は不要であるから、これを取り除くために、４ピンが接続されたラインには、コンデンサ１４と並列に高周波信号遮断素子としてのＦＢ１３が接続されている。これによりテレビジョン信号などの高周波のアンテナ信号が除かれたＩＤ信号が、セット側の不図示のＩＤ識別回路に出力される。
なお、セット側ＵＳＢ−Ｂコネクタ１０の５ピンは、接地用のグランド端子であり、この５ピンが接続されるラインは、後述するケーブル側ＵＳＢ−Ｂコネクタ１５及びセットの外部シールドと接続され、接地されている。
【００２５】
また、上述したように、図１に示すＵＳＢ−ＳＭＡ変換ケーブルは、同軸シールド線１７の一端に設けられた基板に、オス型のケーブル側ＵＳＢ−Ｂコネクタ１５を接続した所謂同軸ケーブルである。このケーブル側ＵＳＢ−Ｂコネクタ１５としても、セット側ＵＳＢ−Ｂコネクタ１０と同様に、μＵＳＢコネクタが用いられるが、Ｂタイプ以外にもＡタイプあるいはＡＢタイプのμＵＳＢコネクタを用いてもよい。
【００２６】
ケーブル側ＵＳＢ−Ｂコネクタ１５のＩＤ端子（４ピン）とグランド線の間には、抵抗器１６が接続されており、セット側では、抵抗器１６の値でどんな用途のＵＳＢコネクタが接続されているのか、そしてそのケーブルがどのように使われているかを認識することができる。
なお、この抵抗器１６に関しては、現段階ではイヤホンマイクのみの規定になっているが、今後はイヤホンマイク以外の他の用途にも使われることが予定されている。但し、電源が供給されたかどうかの認識は、後述するように、Ｖｂｕｓ端子に電圧を印加し、かつ２ピン（Ｄ−端子）と３ピン（Ｄ＋端子）を短絡（ショート）させて充電を開始することで行われる。
【００２７】
また、図１に示すＳＭＡコネクタ１８は、外部アンテナ線や家庭等のアンテナ端子からのケーブルが接続される端子であり、一般には測定用コネクタとして知られている。このＳＭＡコネクタ１８の特性インピーダンスは５０Ωであり、ＳＭＡコネクタ１８は、主にマイクロ波の無線通信機器に古くから使われている。この図１に示したＵＳＢ−ＳＭＡ変換ケーブルを用いてセット側でテレビジョン信号等の放送波を受信する実験を行った。
【００２８】
具体的には、図１に示すように、約１０ｃｍの長さに切断した同軸シールド線１７の内部導体である芯線１９をケーブル側ＵＳＢ−Ｂコネクタ１５の４ピンのラインに接続した。また、同軸シールド線１７の外部導体である金属シールド２０をケーブル側ＵＳＢ−Ｂコネクタ１５の５ピンのラインに接続した。ケーブル側ＵＳＢ−Ｂコネクタ１５の１ピン〜３ピンは、何も接続せずに開放（オープン）して、ＵＳＢ−ＳＭＡ変換ケーブルを作製した。
【００２９】
＜２．ＵＳＢ−ＳＭＡ変換ケーブルの具体例＞
図２は、上述したＵＳＢ−ＳＭＡ変換ケーブルのサンプルを示したものである。（Ａ）は上側から見た平面図、（Ｂ）はケーブル側ＵＳＢ−Ｂコネクタ１５の断面図、（Ｃ）はＳＭＡコネクタ１８の断面図、（Ｄ）は正面図である。各図の寸法はＵＳＢコネクタ及びＳＭＡコネクタの標準規格に基づいている。なお、図２において図１と同じものは同一の符号を付している。
【００３０】
図２に示すように、作製したＵＳＢ−ＳＭＡ変換ケーブルのサンプルとしては、長さ約１０ｃｍ、直径２．６ｍｍの同軸シールド線１７を用いている。また、図２（Ｂ）に示すように、断面が長方形状をしたケーブル側ＵＳＢ−Ｂコネクタ１５の狭い方の辺幅は７ｍｍであり、今後更に薄型化が進むと考えられる携帯電話機等の接続端子として好適なものとなっている。
【００３１】
図２に示したＵＳＢ−ＳＭＡ変換ケーブルのサンプル５個を、順次、セット側ＵＳＢ−Ｂコネクタ１０に接続して、テレビジョン電波等の高周波信号の伝送特性を調べた。図３は、その結果をプロットした図である。
【００３２】
日本のテレビジョン放送では９０〜１０８ＭＨｚ（１〜３ｃｈ）、１７０〜２２２ＭＨｚ（４〜１２ｃｈ）のＶＨＦ帯域と、４７０〜７７０ＭＨｚ（１３〜６２ｃｈ）のＵＨＦ帯域が使用されている。なお、ＶＨＦ帯のうち、９０〜１０８ＭＨｚをＶＨＦ−Ｌ（ローバンド）帯といい、１７０〜２２２ＭＨｚをＶＨＦ−Ｈ（ハイバンド）帯と分けて呼ぶこともある。
【００３３】
図３を見ると、これらのテレビジョン放送の全帯域の高周波信号の通過特性がＵＳＢ−ＳＭＡ変換ケーブルの５つのサンプルで略同じ結果になっていることが分かる。つまり、ＵＳＢ−ＳＭＡ変換ケーブルの５個のサンプルとも、ＦＭ帯（７０〜９０ＭＨｚ）、ＶＨＦ帯、ＵＨＦ帯のいずれの周波数帯においても挿入損失は１ｄＢ以下であり、伝送劣化が少ないことを示している。このことから、通常のＵＳＢケーブルのＩＤ端子をテレビジョン等のアンテナ信号の受信に使用しても、実用上問題がないことが分かった。
【００３４】
＜３．ＵＳＢ機能の維持についての検証＞
また、セット側ＵＳＢ−Ｂコネクタ１０及びケーブル側ＵＳＢ−Ｂコネクタ１５のＩＤ端子をアンテナ伝送に用いることで、本来のＵＳＢ機能が維持されるか否か、言い換えるとＵＳＢの機能が劣化しないかどうかについて検証した。図４は、ＵＳＢ機能が維持されているかを調べるアイパターン４０を示した図である。
【００３５】
アイパターン４０は、アイダイヤグラムあるいはアイ開口率ともいい、信号波形の遷移を多数サンプリングして重ね合わせ、これをグラフィカルに表示したものである。横軸は時間、縦軸は電圧を表わしている。このアイパターン４０を見て、信号波形が同じ位置(タイミングと電圧)で複数重ね合っていれば、品質の良い波形とされ、 逆に、信号波形の位置(タイミングと電圧)がずれている場合は、品質の悪い波形とされる。また、伝送特性の悪いものは、中央の六角形の形（テンプレート４３）が薄く扁平な形状になり、その面積が小さくなることも知られている。
【００３６】
ＵＳＢ2.0機能の充足条件を示す規格では、Ｄ＋＝０．４Ｖ、Ｄ−＝−０．４Ｖの信号線を通る、位相が１８０°異なる差動信号４１、４２を同時に表示し、この表示されたアイパターンにおいて、差動信号の波形が六角形状のテンプレート４３を囲む構成になることが要求されている。なお、ＵＳＢ2.0の規格では、ＵＳＢ信号伝送のクロックは４８０Ｍｂｐｓである。
このテストは、信号線とテンプレートの関係が人間の目が開いた形に似ていることから、アイパターンテスト（またはアイダイヤグラムテスト）と呼ばれる。
【００３７】
図４を見ると、Ｄ＋＝０．４Ｖ、Ｄ−＝−０．４Ｖの平行線の間に、２ピンと３ピンが接続されるラインを伝搬する差動信号４１、４２が入り、更にこれらの２つの差動信号４１、４２が囲む領域内に六角形状のテンプレート４３が入っていることが分かる。つまり、図４は、ＵＳＢ端子の４ピンをアンテナとして利用した場合でも、アイパターンテストに合格していること、言い換えるとＵＳＢ規格を満たしていることを示している。このことから、図２に示したＵＳＢ−ＳＭＡ変換ケーブルのＳＭＡコネクタにダイポールアンテナや屋外のアンテナを接続しても、ＵＳＢ機能は維持されることが判明した。
【００３８】
＜４．同軸ケーブルとＵＳＢケーブルの接続例＞
図５、図６は、入出力装置に、図１に示したＵＳＢ−ＳＭＡ変換ケーブルと同様の同軸ケーブルと、通常のＵＳＢケーブルの２つを接続した実施の形態例を示している。図５は概略構成図、図６はその接続関係を詳細に示した図である。なお、図５では、同軸ケーブル１７の他端にＳＭＡコネクタ１８（図１参照）ではなく、直径３．５ｍｍの２極プラグ２３を接続した例を示している。この２極プラグ２３を「Φ3.5  2極プラグ」という。２極プラグ２３の代わりにＳＭＡコネクタ１８、または、通常テレビで使われているＦコネクタを用いることも可能である。以下、図１、２及び図５、６に示すテレビジョン信号等の放送波を受信するケーブルをＵＳＢケーブルと区別して、単に「同軸ケーブル」と呼ぶことにする。
【００３９】
図５に示す接続例では、ケーブル側ＵＳＢ−Ｂコネクタ１５に、同軸ケーブル（同軸シールド線）１７の他に、ＵＳＢケーブル２１が接続されている。そして、このＵＳＢケーブル２１の他端には、ホストコンピュータ側と接続するためのケーブル側ＵＳＢ−Ａコネクタ２２が接続される。このＵＳＢケーブル２１を通じて不図示のホストコンピュータ側からセット側に電源が供給される他、音声信号等を含む各種の情報信号が供給される。
【００４０】
なお、同軸ケーブル１７の他端には、通常はテレビジョンの入力に使われているＦコネクタが接続されて、家庭内のアンテナ端子に接続される。
しかし、情報端末機器を利用する上で、専用の収納型ロッドアンテナを利用してテレビジョン放送波を受信したいという要求もある。このため、ＳＭＡコネクタ１８の代わりに上述した２極プラグ２３または、その他の小型の同軸コネクタを接続して用いることも今後は増えていくと考えられる。
【００４１】
この２極プラグ２３は、ロッドアンテナ２５を有するアンテナユニットの基板２４のコネクタである２極ジャック２６に挿入して用いられる。この基板２４の２極ジャック２６を「Φ3.5  2極ジャック」と呼ぶ。この２極プラグ２３と２極ジャック２６を接続することで、情報端末機器（セット）とテレビジョン信号受信用のアンテナを直接接続することが可能となる。このため、ＵＳＢケーブル２１を接続してもホストコンピュータ側からのノイズを受けにくく、安定した放送波の受信ができるようになる。また、アンテナユニットが別体なので、持ち運びができるという利点もある。
【００４２】
図６は、図５の接続関係の詳細を、ＵＳＢ入出力端子のピンレベルで示した詳細図である。図１に示す部材と同一の部材は同一符号を付している。セット側ＵＳＢ−Ｂコネクタ１０の構造は図１のものと同一なのでその説明は省略する。
図６に示すように、ＵＳＢ入出力装置である、セット側ＵＳＢ−Ｂコネクタ１０にケーブル側ＵＳＢ−Ｂコネクタ１５が接続されている。上述したように、図１の例では、このケーブル側ＵＳＢ−Ｂコネクタ１５に同軸ケーブル（ＵＳＢ−ＳＭＡ変換ケーブル）１７のみが接続されていた。
【００４３】
図６に示す接続例では、ケーブル側ＵＳＢ−Ｂコネクタ１５の一端に、２極プラグ２３が接続された同軸ケーブル１７の他に、通常のＵＳＢケーブル２１を接続している。図５で示したように、ＵＳＢケーブル２１の一端には、Ｂタイプのケーブル側ＵＳＢ−Ｂコネクタ１５が接続され、他端にはホストコンピュータに接続するためのＡタイプのケーブル側ＵＳＢ−Ａコネクタ２２が接続される。このＵＳＢケーブル２１の電源供給ラインが接続される１ピンには、セット側で高周波遮断用のＦＢ２７が接続されるとともに、ホスト側でも同様に高周波遮断用のＦＢ３０が接続されている。このＦＢ２７、３０は、電流が流れても高周波特性を維持することができるフェライトビーズ（ＦＢ）であり、後述するグランドラインに接続されるＦＢ２９、３２とはその特性が異なる。  
【００４４】
また、ＵＳＢケーブル２１の差動信号ラインが接続される２ピンと３ピンには、セット側とホスト側のそれぞれにコモンモードチョーク２８、３１が接続されている。更に、ＵＳＢケーブル２１のグランドラインには、セット側にＦＢ２９が、ホスト側にＦＢ３２が接続される。このグランドラインに挿入されるＦＢ２９、３２は、コイルの周りに磁性材料を配置して、高周波的に高いインピーダンスが高い状態、つまり高周波損失が多い状態を作る。そして、高周波電流を熱に変えて、高周波電流を除去するようにしている。
但し、ホスト側のＦＢ３０及び、コモンモードチョーク３１、グランドラインに接続されるＦＢ３２は、ＵＳＢ特性と同軸ケーブル１７のＲＦ特性が維持されるという前提で、ＵＳＢケーブル２１の特性上、電源ノイズの影響が少ない場合は、なくても問題ない。
【００４５】
なお、ケーブル側ＵＳＢ−Ｂコネクタ１５が接続される基板は、共通の基板として利用する場合は、お互いが干渉しないように配慮し、できるだけ離す必要がある。ここでは同軸ケーブル１７が接続される第１の基板３３と、ＵＳＢケーブル２１が接続される第２の基板３４に分離している。この第１の基板３３が第１の接続部となり、第２の基板３４が第２の接続部となる。この分離により、ＵＳＢケーブル２１側の信号と同軸ケーブル１７側の信号とのクロストークがなくなり、同軸ケーブル側でより安定した放送波の受信が可能となる。
【００４６】
このように、ケーブル側ＵＳＢ−Ｂコネクタ１５に、ＵＳＢケーブル２１と同軸ケーブル１７の両方を取り付けることにより、ＵＳＢケーブル２１を用いたホストコンピュータとの通信及び充電と、同軸ケーブル１７を用いたアンテナユニットからの放送波の受信が同時に可能となる。
【００４７】
＜５．イヤホンアンテナへの応用例＞
図７は、長さ３７．５ｃｍの同軸シールド線５１と長さ６２．５ｃｍのイヤホンコード５２、５３を接続して作製した、全長約１ｍのイヤホンアンテナ５０を示した図である。
このイヤホンアンテナ５０は、一種のモノポールアンテナであり、同軸シールド線５１とイヤホンコード５２、５３の全体の長さでテレビジョン放送のＶＨＦ帯の電波を受信できるアンテナを構成し、同軸シールド線５１の部分でテレビジョン放送のＵＨＦ帯の電波を受信できるアンテナを構成している。
【００４８】
セットに接続するために同軸シールド線５１に取り付けられるオス型のケーブル側ＵＳＢ−Ｂコネクタ５３は、図１のケーブル側ＵＳＢ−Ｂコネクタ１５と同じものであるが、図８で後述するように、１ピン〜５ピンの接続構成が異なる。
一方、イヤホンコード５５、５６に接続されるコネクタは、図２に示すＳＭＡコネクタ１８ではなく、通常のイヤホンコード５５、５６と同軸シールド線５１とを基板を介して接続するための接続部５４であり、この接続部５４は樹脂でモールドされている。この接続部５４がイヤホンコード５５、５６と同軸シールド線５１との境界部になる。イヤホンコード５５、５６は、固定部５９までは一体に接続されているが、固定部５９から先は分離されて、それぞれＬ側イヤホン５７とＲ側イヤホン５８に接続されている。
なお、本例では、同軸シールド線５１とイヤホンコード５５、５６の接続に基板を介して樹脂モールドで形成したが、これに代えてイヤホンジャックとイヤホンプラグでの接続で構成することも可能である。
【００４９】
このイヤホンアンテナ５０の全長は、約１ｍとし、同軸シールド線５１の長さは３７．５ｃｍにした。ここでは、人体に取りつけて使用すると周波数が、更に低い方に動くことを考慮してイヤホンアンテナの全長を決めている。つまり、このイヤホンアンテナ５０では、テレビジョン放送のＶＨＦ−Ｈ帯とＵＨＦ帯の両方が受信できるように、同軸シールド線の長さを２００ＭＨｚの約１／４波長（λ／４）の３７．５ｃｍに調整した。また、ＵＨＦ帯（４４０〜７７０ＭＨｚ）は、略２００ＭＨｚの高調波帯に相当するため、このイヤホンアンテナ５０によりＵＨＦ帯のテレビジョン放送の電波も受信可能となる。
【００５０】
図８は、図７に示したイヤホンアンテナ５０と同じイヤホンアンテナ６０の具体的接続関係を示す図である。同軸シールド線６１に接続されるケーブル側ＵＳＢ−Ｂコネクタ６２は、オス型のコネクタであり、これがメス型のセット側ＵＳＢ−Ｂコネクタ１０に接続される。なお、セット基板側に取り付けられるメス型のセット側ＵＳＢ−Ｂコネクタ１０は、図１に示したものと同じなので説明は省略する。
【００５１】
図８の例では、同軸シールド線６１の長さを、図７の同軸シールド線５１と同じ長さの３７．５ｃｍとしている。同軸シールド線６１側の基板上に設けられるケーブル側ＵＳＢ−Ｂコネクタ６２が、図１のケーブル側ＵＳＢ−Ｂコネクタ１５と異なる点は、ケーブル側ＵＳＢ−Ｂコネクタ６２の各端子（１ピン〜５ピン）に接続されるライン構成である。      
【００５２】
同軸シールド線６１側の基板に配置されるオス型のケーブル側ＵＳＢ−Ｂコネクタ６２は、セット基板側に配置されるメス型のセット側ＵＳＢ−Ｂコネクタ１０に対向して設けられている。このケーブル側ＵＳＢ−Ｂコネクタ６２の１ピンは電力供給用の端子であり、マイクロホン６３に接続され、更にこのラインには高周波信号を遮断するためのＦＢ６４が直列に接続されている。
【００５３】
ケーブル側ＵＳＢ−Ｂコネクタ６２の２ピンと３ピンは、ＲとＬの音声信号を差動で伝送する信号ラインに接続されており、このラインにも高周波信号遮断用のＦＢ６５，６６が接続されている。更にケーブル側ＵＳＢ−Ｂコネクタ６２の５ピンのグランドラインにもＦＢ６７が接続されている。なお、通常のＵＳＢケーブル伝送機能とテレビジョン信号のような高周波信号のアンテナ機能の両方を満足させるためには、グランドラインに挿入されるＦＢ６７の直流抵抗は１Ω以下とすることが望ましい。
【００５４】
このように、ＦＢ６７の抵抗値を１Ω以下とすることが好ましいが、仮にこの１Ωの値でオーディオのアイソレーションが取れない場合には、ＦＢ６７の値を０Ωにしても利用できる。つまり、アンテナ特性が落ちるが、ＦＢ６７なしでも４ピンのＩＤ端子をアンテナ端子として使用することが可能である。また、ＵＨＦのハイバンドの特性が多少劣化することを容認するならば、ＩＤ端子のラインとグランドラインの間のコンデンサ７１ｄを挿入しなくても、アンテナ端子としての機能を維持することができる。
【００５５】
また、ケーブル側ＵＳＢ−Ｂコネクタ６２の１ピン、２ピン、３ピンのラインは、マイクロホン６３及びＬとＲのイヤホン６８、６９を経由してグランドライン（５ピンのライン）と接続されている。
特に本例のイヤホンアンテナ６０においては、後述するように、同軸シールド線６１の外皮導体である金属シールド７２が、ケーブル側ＵＳＢ−Ｂコネクタ６２のＩＤ端子（４ピン）に接続されている点が重要な意味を持つ。図６に示すように、このＩＤ端子に接続される金属シールド７２は、接地線とは異なるシールド用のラインである。
【００５６】
また、オス型のケーブル側ＵＳＢ−Ｂコネクタ６２を、メス型のセット側ＵＳＢ−Ｂコネクタ１０に挿入した際に、テレビジョン放送等の電波を受信できるアンテナが刺さったかどうかの判別（検知）を行う必要がある。このため、ケーブル側ＵＳＢ−Ｂコネクタ６２のＩＤ端子（４ピン）が接続されるラインと５ピンが接続されるグランドラインの間に、抵抗器７０を挿入している。この抵抗器７０の抵抗値は、ケーブル側ＵＳＢ−Ｂコネクタ６２の種類、言い換えるとこのコネクタがどのような用途に使われているかにより異なった抵抗値とされる。したがって、この抵抗器７０の値（抵抗値）を検出することで、テレビジョン放送等のアンテナ機能を持つＵＳＢコネクタが挿入されたことを検出することができる。
【００５７】
一般に従来のイヤホンアンテナでテレビジョン放送等の電波を受信する場合には、Ｒのイヤホンケーブルを構成している信号線と、Ｌのイヤホンケーブルを構成している信号線とをそれぞれ１本のアンテナ線として機能させている。このイヤホンアンテナでは、同軸ケーブルの芯線とグランド線の間で電波の伝送が行われ、伝送されたアンテナ信号がピンジャックコネクタによりテレビジョン放送等の受信機に入力される。
【００５８】
しかし、ＵＳＢ2.0の信号転送に用いられる転送クロックは４８０Ｍｂｐｓであり、このクロック信号は信号線とグランド線間で動作するため、ＵＳＢケーブルのグランドをテレビジョン信号のアンテナとして使うと、このアンテナにはテレビジョン等のＲＦ信号に加えて、ＵＳＢの４８０Ｍｂｐｓのクロック信号が重畳された状態になる。このため、ＵＳＢケーブルをテレビジョン放送用のアンテナとして利用する場合には、従来のイヤホンアンテナと同じ接続では、テレビジョン放送等の高周波信号の伝送に使用することができない。なお、ＵＳＢ2.0の４８０Ｍｂｐｓのクロックは、２４０ＭＨｚの周波数に相当するので、特に悪影響を受けるのはＶＨＦ−Ｈ帯になる。
【００５９】
以上のイヤホンアンテナの問題点を考慮した上で、本例のイヤホンアンテナでは、図６に示すように、電圧ライン（１ピン）、信号ライン（２ピン、３ピン）、及びグランドライン（５ピン）とＩＤライン（４ピン）の間に、高周波的な結合を促進するためのコンデンサ７１ａ〜７１ｄを挿入している。コンデンサ７１ａ〜７１ｄの値は、略１０００ｐＦである。
【００６０】
また、ケーブル側ＵＳＢ−Ｂコネクタ６２の１ピン〜３ピンが接続されるラインと、５
ピンが接続されるラインにはＦＢ６４〜６７が接続されており、これらのラインを通して
、テレビジョン信号等のアンテナ信号がセット側ＵＳＢ−Ｂコネクタ１０に入力しないよ
うに構成されている。つまり、高周波的に遮断されている。
【００６１】
また、図８に示すイヤホンアンテナ６０は、ＩＤ端子のラインをテレビジョン放送用のアンテナ入力に使用しているため、４ピンが接続されるＩＤラインにはフェライトビーズ（ＦＢ）は接続されていない。言い換えると、ケーブル側ＵＳＢ−Ｂコネクタ６２の１ピン〜３ピンが接続されるラインと、５ピンが接続されるグランドラインにはＦＢ６４〜６６が接続されているが、４ピンが接続されるラインにはＦＢが接続されていない。つまり、４ピンのラインのみが高周波的に遮断されておらず、このラインを通してテレビジョン等のアンテナ信号がセット側に送られるようになっている。
【００６２】
そして、これらのＦＢ６４〜６６手前までの各ラインで発生するアンテナ信号の電波を、コンデンサ７１ａ〜７１ｄを介して積極的にＩＤラインに重畳させている。これは、ＩＤライン（アンテナ端子）とその他のラインとを高周波的に結合し、ＤＣ的には開放（オープン）していることを意味する。したがって、ＵＳＢケーブルの各ラインを信号伝送等に使用する場合には、悪影響を与えることがない。
【００６３】
また、上述したように、ケーブル側ＵＳＢ−Ｂコネクタ６２の４ピンが接続されるＩＤラインとグランドライン間には、抵抗器７０が接続されている。この抵抗器７０の抵抗値は、通常ハイインピーダンス（数百kΩ）となるので、ＩＤラインとグランドラインは、高周波的にはオープンであり、ＩＤラインのアンテナ特性への影響はない。なお、注意すべきはＩＤライン以外の各ラインに接続されたＦＢ６４〜６７の通過後に、結合容量等のキャパシタで結合してしまった場合であるが、この場合には、各端子へ高周波電流が流れてしまうため、アンテナ特性が劣化してしまうことになる。  
【００６４】
次に、表１、２及び図９（Ａ）（Ｂ）に基づいて、図７、図８で説明したイヤホンアンテナの周波数―ゲイン特性について説明する。表１及び図９（Ａ）は、図７に示したイヤホンアンテナがテレビジョン放送のＶＨＦ帯域での周波数−ゲイン特性を示したものである。表１及び図９（Ａ）に示すように、１９０〜２２０ＭＨｚのＶＨＦ帯域では、垂直偏波で−１０ｄＢ以上のゲイン特性を示し、水平偏波では、−１６ｄＢ以上の特性を示すことが認められた。
【００６５】
【表１】
0006036942.tif 000002
【００６６】
また、表２及び図９（Ｂ）に示すように、４７０〜８７０ＭＨｚのＵＨＦ帯域では、垂直偏波、水平偏波とも−１２ｄＢ以上のゲイン特性を示した。これらの結果は、図８に示したイヤホンアンテナ６０がテレビジョン放送のＶＨＦ帯やＵＨＦ帯のアンテナとしての機能を十分に発揮していることを表わしている。また、今後、ＶＨＦ帯を利用して放送することが計画されているマルチメディア放送に対してもアンテナとして適用可能となることを意味している。
【００６７】
【表２】
0006036942.tif 000003
【００６８】
＜６．ギガヘルツ帯の通過特性を得るためのＵＳＢ入出力装置の基板構造＞
図１０は、本開示の入出力装置において、ギガヘルツ帯の通過特性を得るための基板の構造を示した図である。図１０（Ａ）は基板全体の斜視図、図１０（Ｂ）と（Ｃ）は、誘電体を挟んで配置された平行な２個のアース面（アース層）とＵＳＢ入出力端子との位置関係を示した図である。この基板が図１に示す同軸シールド線（同軸ケーブル）１７とケーブル側ＵＳＢ−Ｂコネクタ１５が実装されるμＵＳＢプラグ基板である。
【００６９】
図１０（Ａ）に示すように、上側のアース面８１と下側のアース面８２の間に誘電体８３が配置されている。アース面８１とアース面８２はスルーホール７７によって接続され、導電位に保たれている。上側のアース面８１は、アース面８１ａとアース面８２ｂとに分割され、その間にＵＳＢのＩＤ端子（４ピン）が接続される電極８４が設けられている。
【００７０】
ＵＳＢ端子の１ピンから５ピンが接続される電極は、それぞれのアース面８１ａ、８１ｂ、８２上に設けられる。図１０（Ｂ）は、上面（上側）のアース面８１に設けられる電極を示し、図１０（Ｃ）は、底面（下側）のアース面８２に設けられる電極の位置を示している。図１０（Ｂ）と図１０（Ｃ）は、上側から見た透視図である。
【００７１】
図１０（Ｂ）に示すように、上面のアース面８１ａ、８１ｂと同一平面上に、ＵＳＢコネクタのうちの２ピン（Ｄ−端子）電極７２、４ピン（ＩＤ端子）電極７４、シールド端子７６が配置される。また、図１０（Ｃ）に示すように、底面のアース面８２との同一平面上に、ＵＳＢコネクタの中の１ピン（電源端子）電極７１、３ピン（Ｄ＋端子）電極７３、及び５ピン（ＧＮＤ端子）電極７５が配置される。なお、シールド端子７６は、アース面８１ａに直接接続され、５ピン（ＧＮＤ端子）用の電極７５はアース面８２に直接接続されている。また、上面のアース面８１ａ、８１ｂと底面のアース面８２は、スルーホール７７により電気的に接続されている。
【００７２】
図１０（Ｂ）に示す上側アース面８１の平面構造と、図１０（Ｃ）に示す下側アース面８２の平面構造を見ると、透視図の実線で記載した電極と点線で記載した電極の位置関係で示すような関係にある。すなわち、底面の１ピン電極７１と３ピン電極７３間に上面の２ピン電極７２が配置されている。また、底面の３ピン電極７３と５ピン電極７５の間に上面の４ピン電極７４が配置されている。さらに、ケースに接続される上面のシールド電極７６は底面の５ピン電極７５の位置より外側に配置されている。
【００７３】
なお、ＵＳＢコネクタの取付方法は、従来の方法と同じでよいが、本実施の形態例では、同軸線の取付方法に工夫がある。すなわち、本実施形態例の取付方法では、同軸線の被覆を剥がし、基板を芯線部とグランド部とで挟んだ後、半田で固定する方法を採用している。この方法によれば、ストリップラインが信号線と底面のグランドとの間で、電磁界が発生するため、高周波の通過特性を良好に保つことができる。
【００７４】
図１１は、μＵＳＢプラグ基板を図１０で示した基板構造にして作製したＵＳＢ−ＳＭＡ変換ケーブルのサンプル（１個）の周波数特性を測定した結果である。この実験では、μＵＳＢコネクタ間でＩＤ端子（４ピン）にセミリジッド・ケーブルを接続し、ギガヘルツ（ＧＨｚ）帯の伝送特性を考慮して通過特性を調べた。図１１はその結果である。セミリジッドとは、高周波を伝送するために自由には曲げることができないケーブル、すなわち「ややリジッド」なケーブルという意味であり、高周波の関係者では一般的に用いられているものである。
【００７５】
図３と図１１を比較すると分かるが、図３では９５０ＭＨｚまでしか有効な特性が得られなかったのに対し、上述の基板構造にした結果、図１１では、周波数特性を１．８ＧＨｚまで広げられることが実証された。すなわち、図１１に示すように、最大の伝送ロスは１．８ＧＨｚで１．５ｄＢ以下となり、１．８ＧＨｚ以下であれば、問題なくこのＵＳＢ−ＳＭＡ変換ケーブルを使用できることがわかった。
【００７６】
以上、本開示の実施の形態例としてのＵＳＢ入出力装置について説明した。しかし、本開示は、ＵＳＢ入出力装置に限定されるものではなく、ＵＳＢ以外の例えばＭＨＬ（Mobile High-definition Link）インタフェースを用いた入出力装置にも適用することができる。
【００７７】
ここで、上述したＵＳＢコネクタのＩＤ端子の特徴を検討して見る。ＵＳＢコネクタは、急速にバージョンアップしながら変化・拡充等が行われている。したがって、現実の問題として実際の規格は確定されないことが多い。ＩＤ端子を使用するＵＳＢ−Ｏｎ−Ｔｈｅ−Ｇｏ（ＵＳＢ−ＯＴＧ）の規格では、基本的には、ホスト（側）機器のＩＤ端子は、１０Ω以下の抵抗を介してＧＮＤに接続し、周辺側の機器（ペリフェラル機器）のＩＤ端子は、ＯＰＥＮもしくは１００ＫΩ以上の抵抗を介してＧＮＤに接続することになっている。なお、実際の運用では、機器毎に抵抗値で使い分けているなど、各社独自仕様で運用されている。
【００７８】
接続相手機器同士が単独で接続される場合には、１対１（１：１）接続となるが、ホスト機器あるいはＵＳＢハブ等を介して、複数機器を接続できるようにし、これらを切り替えて接続することもできる。この場合には、複数：１、１：複数、複数：複数の接続が可能となり、その切替えは、ホスト機器等によって制御される。
また、これらの接続対象機器の中には、ＰＣ等のいわゆるホスト機器（情報処理機器）や、各種携帯機器等のいわゆる周辺機器（情報端末機器）の他に、電力供給のためのＵＳＢ充電器等も含まれる。また、接続相手機器の中には、ホスト機器や拡充機器接続用ハブを介して、他のインタフェース規格に接続される各種機器も含まれる。
【００７９】
そして、いずれにしても、ＵＳＢコネクタのＩＤ端子は、接続相手機器の切り替えによる変化時（変化点、変化タイミング）以外では、その時点での接続相手機器を判別可能な安定電位（一定電圧）を示すことになる。また、電位変化（変位）による判別のための分解能さえ得られればよいので、このＩＤ端子は、電位が多少変化しても動作（ここでは情報判別）には影響しにくい端子となる。また、ＩＤ端子の電位は、接続相手機器の切り替え時にのみ変化するので、変化点あるいは変化頻度が少なくて済む。
【００８０】
また、このＩＤ端子は、接続相手機器のタイプを知ることによって、このＩＤ端子を有する入出力装置（または入出力コネクタ）を備えた情報端末機器の内部の動作を切り替えるための端子である。したがって、ＩＤ端子は、いわゆる動作モード切替信号と呼ばれる情報信号が供給される端子であると言うことができる。
【００８１】
図１２は、μＵＳＢ端子とＭＨＬ端子の機能を比較して示した図である。図１２に示すように、ＭＨＬは、ＵＳＢコネクタとの併用を前提とした規格であり、ＵＳＢコネクタを直接使用でき、ＵＳＢコネクタのＩＤ端子に相当するピンに制御信号（ＣＢＵＳ）端子を持っている。
【００８２】
ＭＨＬでは、ＣＢＵＳ端子は単線のコントロール信号として使用される。すなわち、ＣＢＵＳは様々なオーディオビジュアル機器におけるユーザ使用環境下において、出力装置側（ソース）、受信装置側（シンク）の設定及び制御に用いられる。例えば、ＣＢＵＳは、一般的なＤＶＩ(Digital Visual Interface)接続におけるＤＤＣ（Display Data Chanel）機能に置き換えられる。また、ソースとシンク間の制御機能を実現するＭＨＬサイドバンドチャンネル（ＭＳＣ）としても使用される。
【００８３】
このように、ＣＢＵＳ端子は、動作モード切替信号と呼ぶことができる情報信号のための端子である。すなわち、ＭＨＬ規格のインタフェース規格では、同じＵＳＢコネクタ用の端子を利用して、入出力装置（または入出力コネクタ）を備えた情報端末機器の内部の動作を変えるだけで、ＭＨＬ規格対応の情報端末機器とすることができる。
【００８４】
なお、本開示の入出力コネクタは、本明細書に開示された実施の形態例の他にも、特許請求の範囲に記載された本開示の要旨を逸脱しない限りにおいて、種々な応用例、変形例を含むことはいうまでもない。
【００８５】
また、本開示は以下のような構成も取ることができる。
（１）情報端末機器に設けられる複数の端子のうち、前記情報端末機器の内部の動作を切り替えるための前記端子で接続相手機器の判別に用いられる識別端子をアンテナ入力端子と兼用する、入出力コネクタ。
（２）前記識別端子は、入力される情報信号の電位により、その情報の内容が判別される情報端子である、（１）に記載の入出力コネクタ。
（３）前記識別端子は、接続相手機器の判別以外に、動作切替時の情報選択に用いられる情報端子である、（１）または（２）に記載の入出力コネクタ。
（４）前記アンテナ入力端子に入力されるアンテナ信号は、ＦＭ帯、ＶＨＦ帯、またはＵＨＦ帯、ギガ帯のいずれかまたは複数の帯域の放送波信号およびＧＰＳや携帯電話で使用する信号で使用される、（１）〜（３）のいずれかに記載の入出力コネクタ。
（５）前記識別端子が接続されるラインには、前記複数の帯域の周波数を通過させるコンデンサが接続されている、（１）〜（４）のいずれかに記載の入出力コネクタ。    
（６）前記識別端子が接続されるラインには、前記コンデンサと並列に、前記帯域の周波数に対してハイインピーダンスとなる高域周波数遮断素子が接続されている、（１）〜（５）のいずれかに記載の入出力コネクタ。
（７）前記入出力コネクタには、差動信号を伝送するラインが接続される端子が設けられており、該差動信号が入力される端子には、前記複数の帯域の周波数に対してハイインピーダンスとなるコモンモードチョーク素子が接続されている、（１）〜（６）のいずれかに記載の入出力コネクタ。    
（８）前記入出力コネクタのグランドラインは、前記情報端末機器のシールドケースに接続される、（１）〜（７）のいずれかに記載の入出力コネクタ。
（９）前記入出力コネクタには、放送波信号および通信信号を通過させる同軸ケーブルを接続するための第１の接続部が設けられる、（１）〜（８）のいずれかに記載の入出力コネクタ。
（１０）前記同軸ケーブルの他端には、前記放送波信号を受信するアンテナ、もしくは同軸コネクタが接続される、（１）〜（９）のいずれかに記載の入出力コネクタ。
（１１）前記入出力コネクタには、更に入出力ケーブルを接続するための第２の接続部が設けられる、（１）〜（１０）のいずれかに記載の入出力コネクタ。
（１２）前記第１の接続部と前記第２の接続部は、前記入出力コネクタが固定される基板において分離されている、（１１）に記載の入出力コネクタ。  
（１３）前記第１の接続部と前記第２の接続部は、前記入出力コネクタの複数の端子を共有するようにして接続される、（１１）に記載の入出力コネクタ。
（１４）前記ＧＰＳや携帯電話で使用する周波数帯は、ギガヘルツ帯であり、前記ギガヘルツ帯の信号を通過させるために、前記入出力コネクタの基板は、互いに平行に配置された２つの基板のグランド端子を接続するとともに、平行に配置される上基板と下基板に設けられた入出力コネクタの各ピンが接続される端子を上面から見て重なる部分をなくすように配置した、（４）に記載の入出力コネクタ。
（１５）前記情報端末機器は、携帯情報端末機器である、（１）〜（１４）のいずれかに記載の入出力コネクタ。
【符号の説明】
【００８６】
１７、５１、６１・・・同軸シールド線（同軸ケーブル）、１０・・・セット側ＵＳＢコネクタ、１５、５３、６２・・・同軸線側ＵＳＢコネクタ、１１、１３、２７，３０、２９，３２、６４、６５，６６、６７・・・フェライトビーズ（ＦＢ）、１２、２８，３１・・・コモンモードチョーク、１４、７１ａ〜７１ｄ・・・コンデンサ、１６、７０・・・抵抗器、１８・・・ＳＭＡコネクタ、２０・・・金属シールド、４０・・・アイパターン、４１、４２・・・差動信号、４３・・・テンプレート、５５、５６・・・イヤホンコード、５４・・・イヤホンジャック、５７、５８、６８、６９・・・イヤホン、６３・・・マイクロホン、７１・・・電源ライン接続端子（１ピン）、７２・・・Ｄ＋ライン接続端子（２ピン）、７３・・・Ｄ−ライン接続端子（３ピン）、７４・・・ＩＤ接続端子（４ピン）、７５・・・アース端子（５ピン）、７６・・・シールド端子、７７・・・スルーホール、８１、８２・・・アース面、８３・・・誘電体
【図１】
0006036942.tif 000004
【図２】
0006036942.tif 000005
【図３】
0006036942.tif 000006
【図４】
0006036942.tif 000007
【図５】
0006036942.tif 000008
【図６】
0006036942.tif 000009
【図７】
0006036942.tif 000010
【図８】
0006036942.tif 000011
【図９】
0006036942.tif 000012
【図１０】
0006036942.tif 000013
【図１１】
0006036942.tif 000014
【図１２】
0006036942.tif 000015